(57)【要約】【課題】倒し窓において、障子の開放角度を簡単な構成で、且つ横方向のスペースを取られずに調整することが可能とし、且つその外観を向上させること。【解決手段】右側の倒し窓用ステー３０が、開放状態の障子２０がさらに開放方向へその姿勢を変化させるのを阻止する構成である障子側アーム３３の突出部３３ｃ、窓枠側アーム３１の側部、可動ストッパ３６の係止凸部３６ｃ、および障子側アーム３３の突出部３３ｅを備える。なお、右側の倒し窓用ステー３０とは左右対称である左側の倒し窓用ステー３０についても同様である。【選択図】図１
2008008092.tif 000002
【特許請求の範囲】
【請求項１】
開口部を有する窓枠と、その下部を中心として回動可能に前記窓枠へ取り付けられて前記開口部を閉鎖可能な障子と、を連結する倒し窓用ステーであって、
その一方の端部が前記窓枠に対して回動可能に連結された窓枠側アームと、
その一方の端部が前記障子に対して回動可能に連結され、その他方の端部付近が前記窓枠側アームの他方の端部付近に対して回動可能に連結された障子側アームと、
前記窓枠側アームまたは前記障子側アームの何れか一方に形成され、前記障子が前記開口部を開放する第一の開放位置に対応する第一の被係止部と、
前記窓枠側アームまたは前記障子側アームの他方に形成され、前記第一の被係止部を係止することによって、前記窓枠側アームにおける前記窓枠に連結された端部と前記障子側アームにおける前記障子に連結された端部とが互いに離間するよう前記窓枠側アームまたは前記障子側アームの少なくとも一方が他方に対して回動するのを阻止可能な第一の係止部と、
前記窓枠側アームまたは前記障子側アームの何れか一方に形成され、前記第一の開放位置にある前記障子が前記開口部をより大きく開放する第二の開放位置に対応する第二の被係止部と、
前記窓枠側アームまたは前記障子側アームの他方に形成され、前記第二の被係止部を係止することによって、前記窓枠側アームにおける前記窓枠に連結された端部と前記障子側アームにおける前記障子に連結された端部とが互いに離間するよう前記窓枠側アームまたは前記障子側アームの少なくとも一方が他方に対して回動するのを阻止可能な第二の係止部と、
を備え、前記第一の係止部が前記第一の被係止部を係止することによって、前記第一の開放位置にある前記障子が前記第二の開放位置へとその姿勢を変化させるのを阻止可能とし、一方、前記第二の係止部が前記第二の被係止部を係止することによって、前記第二の開放位置にある前記障子が前記開口部をより大きく開放するようその姿勢を変化させるのを阻止可能とするよう構成されることを特徴とする倒し窓用ステー。
【請求項２】
請求項１に記載の倒し窓用ステーにおいて、
前記倒し窓用ステーは、前記第一の係止部が前記第一の被係止部を係止する状態および前記第二の係止部が前記第二の被係止部を係止する状態を保持する保持部を備えることを特徴とする倒し窓用ステー。
【請求項３】
請求項１または請求項２に記載の倒し窓用ステーにおいて、
前記倒し窓用ステーは、前記第一の係止部を前記第一の被係止部へ向けて付勢可能な付勢部を備えることを特徴とする倒し窓用ステー。
【請求項４】
請求項１〜請求項３の何れかに記載の倒し窓用ステーにおいて、
前記窓枠側アームの基部および前記障子側アームの基部についてはそれぞれ板状に形成されることを特徴とする倒し窓用ステー。
【請求項５】
開口部を有する窓枠と、
その下部を中心として回動可能に前記窓枠へ取り付けられ、前記開口部を閉鎖可能な障子と、
前記障子と前記窓枠とを連結する請求項１〜請求項４の何れかに記載の倒し窓用ステーと、
を備えることを特徴とする倒し窓。
【発明の詳細な説明】
【技術分野】
【０００１】
本発明は、開口部を有する窓枠と、その下部を中心として回動可能に窓枠へ取り付けられ、開口部を閉鎖可能な障子と、障子と窓枠とを連結する倒し窓用ステーと、を備える倒し窓、およびその倒し窓に用いられる上述の倒し窓用ステーに関し、特に、障子の開放角度を簡単な構成で調整することを可能とし、且つその外観を向上させる技術に関する。
【背景技術】
【０００２】
従来より、開口部を有する窓枠と、その下部を中心として室内側に回動可能に窓枠へ取り付けられ、開口部を閉鎖可能な障子と、障子と窓枠とを連結する倒し窓用ステーと、を備える内倒し窓が知られている。
【０００３】
このような内倒し窓においては、障子の傾倒角度を特に防犯上問題のない約１０〜３０度に保持するために、例えば、窓枠の縦枠または障子の側枠の中間部に、先端部にピンを有するアームの基端部を枢着し、該アームの先端部のピンを、障子の側枠または窓枠の縦枠の中間部に上下に延びるように取り付けた短スライドガイドの短溝に、障子の閉鎖時にピンが短溝の上端位置を占める状態で、滑動自在に嵌着した構造になっている。
【０００４】
しかし、このような内倒し窓においては、障子の傾倒角度が比較的小さい角度に限定されているため、特に屋内側から障子の屋外側のガラス面部を掃除することが困難であるとともに、清掃するために網戸を取り外すことも困難であった。
【０００５】
そこで、障子の屋外側のガラス面部や枠部、窓枠部等を、屋内側から掃除可能な角度（例えば４０〜９０度）まで必要に応じて傾倒させることができる内倒し窓が提案されている。例えば、上述のような内倒し窓であって、障子と窓枠とが二つのアームで構成される内倒し窓用ステーによって連結され、障子の縦框に取り付けられた係止部材によってその内倒し窓用ステーを係止することで、障子の開放角度を調整可能に構成された内倒し窓が提案されている（例えば、特許文献１参照。）。
【０００６】
また、例えば、上述のような内倒し窓であって、障子と窓枠とが一つのアームで構成される内倒し窓用ステーによって連結され、障子の縦框に形成されたガイド溝の内部をその内倒し窓用ステーの先端部を移動させることで、障子の開放角度を調整可能に構成された内倒し窓が提案されている（例えば、特許文献２参照。）。
【特許文献１】実登２５５０５４０号公報（第３頁、図１）
【特許文献２】実登２５３３３０１号公報（第２頁、図１）
【発明の開示】
【発明が解決しようとする課題】
【０００７】
しかし、上述のような内倒し窓においては、次のような問題があった。すなわち、内倒し窓用ステーのアームの端部を係止するための構造や内倒し窓用ステーのアームの端部を案内するための構造が障子の縦框に取り付けられているため、障子の横方向の寸法が大きくなるという問題があった。また、上述のような障子の開放角度を調整するための機構が、多くの部品によって構成されることから、その構造が複雑となり、且つその構成の外観が損なわれるという問題があった。
【０００８】
なお、このようなことは、障子が室内側へ回動可能な内倒し窓に限られず、障子が室外側へ回動可能な外倒し窓でも同様の問題があると考えられる。
本発明は、このような不具合に鑑みなされたものであり、その目的とするところは、倒し窓において、障子の開放角度を簡単な構成で、且つ横方向のスペースを取られずに調整することを可能とし、且つその外観を向上させることにある。
【課題を解決するための手段】
【０００９】
上記課題を解決するためになされた請求項１に係る内倒し窓は、開口部を有する窓枠と、その下部を中心として回動可能に前記窓枠へ取り付けられて前記開口部を閉鎖可能な障子と、を連結する倒し窓用ステーであって、その一方の端部が前記窓枠に対して回動可能に連結された窓枠側アームと、その一方の端部が前記障子に対して回動可能に連結され、その他方の端部付近が前記窓枠側アームの他方の端部付近に対して回動可能に連結された障子側アームと、前記窓枠側アームまたは前記障子側アームの何れか一方に形成され、前記障子が前記開口部を開放する第一の開放位置に対応する第一の被係止部と、前記窓枠側アームまたは前記障子側アームの他方に形成され、前記第一の被係止部を係止することによって、前記窓枠側アームにおける前記窓枠に連結された端部と前記障子側アームにおける前記障子に連結された端部とが互いに離間するよう前記窓枠側アームまたは前記障子側アームの少なくとも一方が他方に対して回動するのを阻止可能な第一の係止部と、前記窓枠側アームまたは前記障子側アームの何れか一方に形成され、前記第一の開放位置にある前記障子が前記開口部をより大きく開放する第二の開放位置に対応する第二の被係止部と、前記窓枠側アームまたは前記障子側アームの他方に形成され、前記第二の被係止部を係止することによって、前記窓枠側アームにおける前記窓枠に連結された端部と前記障子側アームにおける前記障子に連結された端部とが互いに離間するよう前記窓枠側アームまたは前記障子側アームの少なくとも一方が他方に対して回動するのを阻止可能な第二の係止部と、を備え、前記第一の係止部が前記第一の被係止部を係止することによって、前記第一の開放位置にある前記障子が前記第二の開放位置へとその姿勢を変化させるのを阻止可能とし、一方、前記第二の係止部が前記第二の被係止部を係止することによって、前記第二の開放位置にある前記障子が前記開口部をより大きく開放するようその姿勢を変化させるのを阻止可能とするよう構成されることを特徴とする。
【００１０】
このように構成された本発明の倒し窓用ステーによれば、開放状態の障子がさらに開放方向へその姿勢を変化させるのを阻止する構成である第一の被係止部、第二の被係止部、第一の係止部および第二の係止部を備える。このことにより、障子の開放角度を、上述のような第一の被係止部、第二の被係止部、第一の係止部および第二の係止部といった少ない部品構成による簡単な構成で、且つ横方向のスペースを取られずに調整することが可能となり、且つ上述のように少ない部品構成であることからその外観を向上させることができる。
【００１１】
なお、上述の倒し窓用ステーが取り付けられる倒し窓については、障子がその下部を中心として室内側へ向けて回動可能に構成される内倒し窓とすることや、障子がその下部を中心として室外側へ向けて回動可能に構成される外倒し窓とすることが考えられる。
【００１２】
ところで、例えば係止部を押圧することによって、係止部が第一の被係止部または第二の被係止部の何れかを係止する状態を保持するようにすることが考えられる。具体的には、請求項２のように、倒し窓用ステーが、第一の係止部が第一の被係止部を係止する状態および第二の係止部が第二の被係止部を係止する状態を保持する保持部を備えることが考えられる。
【００１３】
このように構成すれば、保持部が、第一の被係止部を第一の係止部が係止する状態を保持するとともに、第二の被係止部を第二の係止部が係止する状態を保持することで、障子が第一の開放位置または第二の開放位置にある状態を保持することができ、したがって、窓枠の開口部が所定の開放角度で開放された状態を保持することができる。
【００１４】
また、例えばばねなどの付勢部によって、係止部を第一の被係止部または第二の被係止部の何れかへ向けて付勢することが考えられる。具体的には、請求項３のように、倒し窓用ステーが、第一の係止部を第一の被係止部へ向けて付勢可能な付勢部を備えることが考えられる。
【００１５】
このように構成すれば、付勢部が第一の係止部を第一の被係止部へ向けて付勢することで、第一の係止部と第一の被係止部との係合状態が自動的に保持される。したがって、障子が第一の開放位置にある状態を容易に保持することができ、窓枠の開口部が所定の開放角度で開放された状態を容易に保持することができる。
【００１６】
ところで、上述の倒し窓用ステーが備える窓枠側アームについては窓枠の縦枠に取り付けられ、障子側アームについては障子の縦框に取り付けられることが考えられる。
また、上述の倒し窓用ステーが備える窓枠側アームの基部および障子側アームの基部についてはそれぞれ板状に形成されることが考えられる(請求項４)。このように構成すれば、窓枠側アームおよび障子側アームを薄く形成することができ、窓枠側アームおよび障子側アームを障子と窓枠との間の狭い空間に納めることで、その外観をさらに向上させることができる。
【発明を実施するための最良の形態】
【００１７】
以下に本発明の実施形態を図面とともに説明する。
［第一実施形態］
図１は、第一実施形態の内倒し窓を示す説明図である。また、図２は第一実施形態の内倒し窓ステーを示す説明図である。
【００１８】
なお、以降、この内倒し窓１において、窓枠１０の下枠部材１２に対して障子２０が配されている側を「上側」とし、障子２０に対して窓枠１０の下枠部材１２が配されている側を「下側」とする。また、内倒し窓１において、障子２０が回動する際にその下框２２に対してその上框２１が位置する側を「室内側」とし、障子２０が回動する際にその上框２１に対してその下框２２が位置する側を「室外側」とする。また、内倒し窓１において、室内側から室外側へ向かう場合の右側を「右側」とし、室内側から室外側へ向かう場合の左側を「左側」とする。
【００１９】
［内倒し窓１の構成の説明］
図１に示すように、内倒し窓１は、開口部を有する窓枠１０と、開口部を閉鎖可能な障子２０と、障子２０と窓枠１０とを連結する２つの倒し窓用ステー３０と、を備える。なお、図１では、右側の倒し窓用ステー３０のみを図示し、左側の倒し窓用ステー３０についてはその図示を省略する。
【００２０】
［窓枠１０の構成の説明］
窓枠１０は、アルミ製の押出材である上枠部材（図示省略）、下枠部材１２、左枠部材（図示省略）、および右枠部材（図示省略）をビス（図示省略）で四辺枠に連結した構成を有している。この窓枠１０は、建物などの構造物の開口部に取り付けられる。
【００２１】
また、窓枠１０の下枠部材１２の上部には蝶番１２ａが形成されており、蝶番１２ａには後述する障子２０の下框２２の蝶番２２ａが取り付けられている。また、窓枠１０の右枠部材には、倒し窓用ステー３０の窓枠側アーム３１の端部３１ａを回動可能に取り付けるためのブラケット１５がビス（図示省略）によって固定されている。なお、窓枠１０の左枠部材には、窓枠１０の右枠部材と同様に、左側の倒し窓用ステー３０の窓枠側アーム３１の端部３１ａを回動可能に取り付けるためのブラケットがビスによって固定されているが、ここではその図示を省略する。
【００２２】
［障子２０の構成の説明］
障子２０は、窓枠１０と同様に、アルミ製の押出材である上框２１、下框２２、右框２３および左框（図示省略）をビス（図示省略）で四辺枠に連結した構成を有している。また、障子２０は、窓枠１０の内部に形成された空間(開口部)に取り付けられている。具体的には、下框２２の下部に形成された蝶番２２ａが窓枠１０の下枠部材１２の蝶番１２ａに取り付けられており、このことにより、障子２０は下框２２を中心として室内側に向けて回動可能である。なお、図１では、閉鎖位置にある障子２０および倒し窓用ステー３０を一点鎖線で図示する。
【００２３】
また、障子２０の右框２３には、倒し窓用ステー３０の障子側アーム３３の端部３３ａを回動可能に取り付けるためのブラケット２５がビス（図示省略）によって固定されている。なお、障子２０の左框（図示省略）については、障子２０の右框２３とは左右対称に構成されているのでここでは詳細な説明は省略する。
【００２４】
［倒し窓用ステー３０の構成の説明］
次に、右側の倒し窓用ステー３０についてその構成を説明する。なお、左側の倒し窓用ステー３０については、左側の倒し窓用ステー３０とは左右対称に構成されているのでここでは詳細な説明は省略する。以下、右側の倒し窓用ステー３０を単に倒し窓用ステー３０と称す。
【００２５】
図１に示すように、倒し窓用ステー３０は、その一方の端部３１ａが窓枠１０の右枠部材に対して回動可能に連結された窓枠側アーム３１と、その一方の端部３３ａが障子２０の右框２３のブラケット２５に対して回動可能に連結され、その他方の端部付近３３ｂが窓枠側アーム３１の他方の端部付近３１ｂに対して回動可能に連結された障子側アーム３３と、を備える。
【００２６】
［窓枠側アーム３１の構成の説明］
このうち窓枠側アーム３１は、板状に形成された金属材料によって構成され、その一方の端部３１ａが窓枠１０に対して回動可能に連結される。
【００２７】
また、窓枠側アーム３１の他方の端部付近３１ｂには、障子側アーム３３の端部３３ｂが回動可能に取り付けられている。具体的には、窓枠側アーム３１の他方の端部付近３１ｂには貫通孔３１ｃが形成されており、この貫通孔３１ｃと障子側アーム３３の端部３３ｂに形成された同様の貫通孔３３ｃとが連通した状態で、これら貫通孔３１ｃおよび貫通孔３３ｃに留めピン３５を挿通させている。
【００２８】
また、窓枠側アーム３１の他方の端部３１ｄには、可動ストッパ３６、および圧縮コイルばねである付勢バネ３７が取り付けられている。具体的には、可動ストッパ３６は、図２に示すように、窓枠側アーム３１の端部３１ｄを内挿可能な直方体の空間の短辺をなす案内溝３６ａを有するブロック形状を有しており、その案内溝３６ａの内部に窓枠側アーム３１の端部３１ｄが位置するよう窓枠側アーム３１の端部３１ｄに挿入されている。このことにより、可動ストッパ３６は、窓枠側アーム３１の長手方向に沿って移動可能である。
【００２９】
また、窓枠側アーム３１の端部３１ｄには、その長手方向に沿って長孔３１ｅが形成されている。一方、可動ストッパ３６には、上述のように窓枠側アーム３１の端部３１ｄに取り付けられた際に窓枠側アーム３１の長孔３１ｅと対向する溝３６ｂが、上述の案内溝３６ａの内部に形成されている。そして、窓枠側アーム３１の長孔３１ｅの内部には、上述の付勢バネ３７が圧縮された状態で配置されており、付勢バネ３７の上端部３７ａが窓枠側アーム３１側に当接するとともに、付勢バネ３７の下端部３７ｂが可動ストッパ３６に当接している。このことにより、窓枠側アーム３１の端部３１ｄに取り付けられた可動ストッパ３６は、付勢バネ３７の付勢力により、窓枠側アーム３１の他方の端部付近３１ｂに取り付けられた障子側アーム３３の端部３３ｂへ向けて移動するよう付勢されるとともに、付勢バネ３７の存在によって、窓枠側アーム３１の端部３１ｄから外れないようになっている。
【００３０】
また、可動ストッパ３６の下端部には、障子側アーム３３の端部３３ｂに形成された突起部３３ｄを係止可能な係止凸部３６ｃが形成されている。この可動ストッパ３６の係止凸部３６ｃは、可動ストッパ３６が障子側アーム３３の端部３３ｂへ向けて移動し、且つ障子側アーム３３の端部３３ｂに形成された突起部３３ｄに当接する際に、窓枠側アーム３１の端部３１ａと障子側アーム３３の端部３３ａとが互いに離間するよう窓枠側アーム３１または障子側アーム３３の少なくとも一方が他方に対して回動するのを阻止可能である。なお、本実施形態では、可動ストッパ３６の係止凸部３６ｃが障子側アーム３３の突起部３３ｄに当接する際に、窓枠側アーム３１と障子側アーム３３とが約４２度に開くとともに、障子２０が窓枠１０に対して約３８度開く（第一開放位置）。なお、図１では、第一開放位置にある障子２０および倒し窓用ステー３０を実線で図示する。
【００３１】
また、可動ストッパ３６には、その長手方向に沿って長孔３６ｄが形成されている。また、窓枠側アーム３１の端部３１ｄからは、突起部３１ｆが、可動ストッパ３６の長孔３６ｄの内部に向けて突出するよう形成されている。このことにより、可動ストッパ３６が窓枠側アーム３１の端部３１ｄから外れないようになっている。
【００３２】
なお、可動ストッパ３６の係止凸部３６ｃは第一の係止部に該当する。また、窓枠側アーム３１の側部は第二の被係止部に該当する。
［障子側アーム３３の構成の説明］
一方、障子側アーム３３は、図１に示すように、窓枠側アーム３１と同様に板状に形成された金属材料によって構成され、その一方の端部３３ａが障子２０の右框２３のブラケット２３ａに対して回動可能に連結され、その他方の端部３３ｂが窓枠側アーム３１の他方の端部３１ｂに対して回動可能に連結される。また、この障子側アーム３３の端部３３ｂからは、突起部３３ｄが、障子側アーム３３の長手方向に沿う方向へ突出している。
【００３３】
また、図２に示すように、障子側アーム３３における室内側の側部からは、突起部３３ｅが、右方向へ向けて窓枠側アーム３１の軌道上へ突出している。この障子側アーム３３の突起部３３ｅは、窓枠側アーム３１に当接する際に、窓枠側アーム３１の端部３１ａと障子側アーム３３の端部３３ａとが互いに離間するよう窓枠側アーム３１または障子側アーム３３の少なくとも一方が他方に対して回動するのを阻止可能である。なお、本実施形態では、障子側アーム３３の突起部３３ｅが窓枠側アーム３１に当接する際に、窓枠側アーム３１と障子側アーム３３とが約９０度に開くとともに、障子２０が窓枠１０に対して約８２度開く（第二開放位置）。なお、図１では、第二開放位置にある障子２０および倒し窓用ステー３０を二点鎖線で図示する。
【００３４】
なお、障子側アーム３３の突起部３３ｄは第一の被係止部に該当する。また、障子側アーム３３の突起部３３ｅは第二の係止部に該当する。
［内倒し窓１の動作の説明］
次に、内倒し窓１の動作を、図１および図２を参照して説明する。
【００３５】
図２（ａ）に示すように障子２０によって閉鎖された窓枠１０の開口部を開放するには、図示しないロック機構を操作して障子２０が下框２２を中心として回動可能とし、障子２０を室内側へ向けて回動させる。下框２２を中心として障子２０を回動させると、窓枠側アーム３１に取り付けられた可動ストッパ３６の係止凸部３６ｃへ障子側アーム３３の突起部３３ｄが当接する。この際、可動ストッパ３６が、窓枠側アーム３１の端部３１ａと障子側アーム３３の端部３３ａとが互いに離間するよう窓枠側アーム３１または障子側アーム３３の少なくとも一方が他方に対して回動するのを阻止する。また、窓枠側アーム３１と障子側アーム３３とが約４２度に開くとともに、障子２０が窓枠１０に対して約３８度開く（第一の開放位置、図２(ｂ)参照）。
【００３６】
ここで、可動ストッパ３６を窓枠側アーム３１の長手方向に沿って上方へ移動させると、可動ストッパ３６の係止凸部３６ｃと障子側アーム３３の突起部３３ｄとの当接状態が解除され、障子２０をさらに回動させることが可能となる。この際、付勢バネ３７が圧縮され、可動ストッパ３６が付勢バネ３７による付勢力によって障子側アーム３３の方へ付勢される。下框２２を中心として障子２０をさらに回動させると、障子側アーム３３の突起部３３ｅが窓枠側アーム３１の側部に当接する。この際、障子側アーム３３の突起部３３ｅ、窓枠側アーム３１の端部３１ａと障子側アーム３３の端部３３ａとが互いに離間するよう窓枠側アーム３１または障子側アーム３３の少なくとも一方が他方に対して回動するのを阻止する。また、窓枠側アーム３１と障子側アーム３３とが約９０度に開くとともに、障子２０が窓枠１０に対して約８２度開く（第二の開放位置、図２(ｃ)参照）。
【００３７】
一方、開放された窓枠１０の開口部を閉鎖するには、下框２２を中心として障子２０を室外側へ回動させる。すると、可動ストッパ３６へ障子側アーム３３の突起部３３ｄが当接する。さらに、障子２０を室外側へ回動させると、可動ストッパ３６が、付勢バネ３７による付勢力に抗して、窓枠側アーム３１の長手方向に沿って上方へ移動する。障子２０を室外側へさらに回動させると、窓枠１０の開口部が障子２０によって閉鎖される（図２(ａ)参照）。
【００３８】
［第一実施形態の効果］
（１）このように第一実施形態の内倒し窓１によれば、右側の倒し窓用ステー３０が、開放状態の障子２０がさらに開放方向へその姿勢を変化させるのを阻止する構成である障子側アーム３３の突起部３３ｄ、窓枠側アーム３１の側部、可動ストッパ３６の係止凸部３６ｃ、および障子側アーム３３の突起部３３ｅを備える。なお、右側の倒し窓用ステー３０とは左右対称である左側の倒し窓用ステー３０についても同様である。このことにより、障子２０の開放角度を、上述のような少ない部品構成による簡単な構成で、且つ横方向のスペースを取られずに調整することが可能となり、且つ上述のように少ない部品構成であることからその外観を向上させることができる。
【００３９】
（２）また、第一実施形態の内倒し窓１によれば、窓枠側アーム３１の長孔３１ｅの内部には、上述の付勢バネ３７が圧縮された状態で配置されており、付勢バネ３７の上端部３７ａが窓枠側アーム３１側に当接するとともに、付勢バネ３７の下端部３７ｂが可動ストッパ３６に当接している。このことにより、窓枠側アーム３１の端部３１ｄに取り付けられた可動ストッパ３６は、付勢バネ３７の付勢力により、窓枠側アーム３１の他方の端部付近３１ｂに取り付けられた障子側アーム３３の端部３３ｂへ向けて移動するよう付勢されるとともに、付勢バネ３７の存在によって、窓枠側アーム３１の端部３１ｄから外れないようになっている。したがって、障子２０が第一の開放位置にある状態を容易に保持することができ、窓枠１０の開口部が所定の開放角度で開放された状態を容易に保持することができる。
【００４０】
（３）また、第一実施形態の内倒し窓１によれば、倒し窓用ステー３０が備える窓枠側アーム３１および障子側アーム３３についてはそれぞれ板状に形成される。このことにより、窓枠側アーム３１および障子側アーム３３を薄く形成することができ、窓枠側アーム３１および障子側アーム３３を障子２０と窓枠１０との間の狭い空間に納めることで、その外観をさらに向上させることができる。
［他の実施形態］
以上、本発明の一実施形態について説明したが、本発明は上記実施形態に限定されるものではなく、以下のような様々な態様にて実施することが可能である。
【００４１】
（１）上記実施形態では、下框２２を中心として障子２０を室内側へ向けて回動可能な内倒し窓１に本発明を適用した例を挙げたが、これには限られず、下框２２を中心として障子２０を室外側へ向けて回動可能な外倒し窓に本発明を適用してもよい。
【００４２】
（２）上記実施形態では、内倒し窓１が、障子２０の開放角度を２段階に調整可能に構成されているが、これには限られず、内倒し窓１の障子２０の開放角度を３段階以上に調整可能に構成してもよい。一例を挙げると、上記実施形態では、この障子側アーム３３の端部３３ｂからは突起部３３ｄが障子側アーム３３の長手方向に沿う方向へ突出しているが、これに対して、この突起部を所定間隔で２つ以上形成するといった具合である。
［第二実施形態］
上記第一実施形態では、窓枠側アーム３１の端部３１ｄに取り付けられた可動ストッパ３６が、付勢バネ３７の付勢力により、窓枠側アーム３１の他方の端部付近３１ｂに取り付けられた障子側アーム３３の端部３３ｂへ向けて移動するよう付勢されるとともに、付勢バネ３７の存在によって、窓枠側アーム３１の端部３１ｄから外れないようになっていることを特徴とする。これに対して第二実施形態では、図３に例示するように、窓枠側アーム１３１の端部１３１ｄに取り付けられた可動ストッパ１３６が、窓枠側アーム１３１の他方の端部付近１３１ｂに取り付けられた障子側アーム１３３の端部１３３ｂへ向けて移動した位置と、障子側アーム１３３の端部１３３ｂから離れた位置とでその位置を保持可能に構成されていることを特徴とする。以下に、具体的に説明する。なお、図３は第二実施形態の内倒し窓を示す説明図である。また、図４は第二実施形態の内倒し窓ステーを示す説明図である。なお、図３では、閉鎖位置にある障子２０および倒し窓用ステー１３０を一点鎖線で図示し、第一開放位置にある障子２０および倒し窓用ステー１３０を実線で図示し、第二開放位置にある障子２０および倒し窓用ステー１３０を二点鎖線で図示する。
【００４３】
［内倒し窓１０１の構成の説明］
図３に示すように、内倒し窓１０１は、開口部を有する窓枠１０と、開口部を閉鎖可能な障子２０と、障子２０と窓枠１０とを連結する２つの倒し窓用ステー１３０と、を備える。なお、図３では、右側の倒し窓用ステー１３０のみを図示し、左側の倒し窓用ステー１３０についてはその図示を省略する。
【００４４】
なお、窓枠１０および障子２０については、上記第一実施形態の説明にて既に説明したのでここではその詳細な説明は省略する。
［倒し窓用ステー１３０の構成の説明］
次に、右側の倒し窓用ステー１３０についてその構成を説明する。なお、左側の倒し窓用ステー１３０については、右側の倒し窓用ステー１３０とは左右対称に構成されているのでここでは詳細な説明は省略する。以下、右側の倒し窓用ステー１３０を単に倒し窓用ステー１３０と称す。
【００４５】
図３に示すように、倒し窓用ステー１３０は、その一方の端部１３１ａが窓枠１０の右枠部材に対して回動可能に連結された窓枠側アーム１３１と、その一方の端部１３３ａが障子２０の右框２３のブラケット２５（図示せず）に対して回動可能に連結され、その他方の端部付近１３３ｂが窓枠側アーム１３１の他方の端部付近１３１ｂに対して回動可能に連結された障子側アーム１３３と、を備える。
【００４６】
［窓枠側アーム１３１の構成の説明］
このうち窓枠側アーム１３１は、板状に形成された金属材料によって構成され、その一方の端部１３１ａが窓枠１０に対して回動可能に連結される。
【００４７】
また、窓枠側アーム１３１の他方の端部付近１３１ｂには、障子側アーム１３３の端部１３３ｂが回動可能に取り付けられている。具体的には、窓枠側アーム１３１の他方の端部付近１３１ｂには貫通孔１３１ｃが形成されており、この貫通孔１３１ｃと障子側アーム１３３の端部１３３ｂに形成された同様の貫通孔１３３ｃとが連通した状態で、これら貫通孔１３１ｃおよび貫通孔１３３ｃに留めピン１３５を挿通させている。
【００４８】
また、窓枠側アーム１３１の他方の端部１３１ｄには、可動ストッパ１３６が取り付けられている。具体的には、可動ストッパ１３６は、窓枠側アーム１３１の端部１３１ｄを内挿可能な直方体の空間の短辺をなす案内溝１３６ａを有するブロック形状を有しており、その案内溝１３６ａの内部に窓枠側アーム１３１の端部１３１ｄが位置するよう窓枠側アーム１３１の端部１３１ｄに挿入されている。このことにより、可動ストッパ１３６は、窓枠側アーム１３１の長手方向に沿って移動可能である。
【００４９】
また、窓枠側アーム１３１の端部１３１ｄには、その長手方向に直交する方向に沿って平行に形成された２つの長孔１３１ｅ，１３１ｆと、これら長孔１３１ｅ，１３１ｆを連結するよう窓枠側アーム１３１の長手方向に沿って形成された長孔１３１ｇとからなるコの字状の取付孔１３１ｈが形成されている。
【００５０】
一方、可動ストッパ１３６には、可動ストッパ１３６が当該窓枠側アーム１３１の端部１３１ｄに取り付けられた際に窓枠側アーム１３１の取付孔１３１ｈに向けて突出する突起部１３６ｂが形成されている。このことにより、窓枠側アーム１３１の端部１３１ｄに取り付けられた可動ストッパ１３６は、可動ストッパ１３６の突起部１３６ｂが窓枠側アーム１３１の取付孔１３１ｈの長孔１３１ｇの内部に位置する場合に窓枠側アーム３１の長手方向に沿って移動可能である。また、可動ストッパ１３６は、可動ストッパ１３６の突起部１３６ｂが窓枠側アーム１３１の取付孔１３１ｈの長孔１３１ｅの内部または長孔１３１ｆの内部に位置する場合に窓枠側アーム３１の長手方向に直交する方向に沿って移動可能であり、窓枠側アーム１３１の他方の端部付近１３１ｂに取り付けられた障子側アーム１３３の端部１３３ｂへ向けて移動した位置と、障子側アーム１３３の端部１３３ｂから離れた位置とでその位置を保持可能である。また、このことにより、可動ストッパ１３６が窓枠側アーム１３１の端部１３１ｄから外れないようになっている。
【００５１】
また、可動ストッパ１３６の下端部には、障子側アーム１３３の端部１３３ｂを係止可能な係止凸部１３６ｃが形成されている。この可動ストッパ１３６の係止凸部１３６ｃは、可動ストッパ１３６が障子側アーム１３３の端部１３３ｂへ向けて移動し、且つ障子側アーム１３３の端部１３３ｂに当接する際に、窓枠側アーム１３１の端部１３１ａと障子側アーム１３３の端部１３３ａとが互いに離間するよう窓枠側アーム１３１または障子側アーム１３３の少なくとも一方が他方に対して回動するのを阻止可能である（第一の開放位置）。また、この可動ストッパ１３６の係止凸部１３６ｃは、可動ストッパ１３６が障子側アーム１３３の端部１３３ｂから離れる位置へ移動し、且つ障子側アーム１３３の端部１３３ｂに当接する際に、窓枠側アーム１３１の端部１３１ａと障子側アーム１３３の端部１３３ａとが互いに離間するよう窓枠側アーム１３１または障子側アーム１３３の少なくとも一方が他方に対して回動するのを阻止可能である（第二の開放位置）。
【００５２】
［障子側アーム１３３の構成の説明］
一方、障子側アーム１３３は、図３に示すように、窓枠側アーム１３１と同様に板状に形成された金属材料によって構成され、その一方の端部１３３ａが障子２０の右框２３のブラケット２３ａに対して回動可能に連結され、その他方の端部１３３ｂが窓枠側アーム１３１の他方の端部１３１ｂに対して回動可能に連結される。
【００５３】
また、障子側アーム１３３における可動ストッパ１３６の係止凸部１３６ｃが当接する際には、２つの凹部１３３ｄ，１３３ｅが形成されている。
なお、可動ストッパ１３６の係止凸部１３６ｃは第一の係止部および第二の係止部に該当する。また、障子側アーム１３３の端部１３３ｄ，１３３ｅは第一の被係止部および第二の被係止部に該当する。
【００５４】
［第二実施形態の効果］
（１）このように第二実施形態の内倒し窓１０１によれば、右側の倒し窓用ステー１３０が、開放状態の障子２０がさらに開放方向へその姿勢を変化させるのを阻止する構成である窓枠側アーム１３１の取付孔１３１ｈ、可動ストッパ１３６の係止凸部１３６ｃ、および障子側アーム１３３の端部１３３ｂを備える。なお、右側の倒し窓用ステー１３０とは左右対称である左側の倒し窓用ステー１３０についても同様である。このことにより、障子２０の開放角度を、上述のような少ない部品構成による簡単な構成で、且つ横方向のスペースを取られずに調整することが可能となり、且つ上述のように少ない部品構成であることからその外観を向上させることができる。
【００５５】
（２）また、第二実施形態の内倒し窓１０１によれば、窓枠側アーム１３１の端部１３１ｄに取り付けられた可動ストッパ１３６が、窓枠側アーム１３１の他方の端部付近１３１ｂに取り付けられた障子側アーム１３３の端部１３３ｂへ向けて移動した位置と、障子側アーム１３３の端部１３３ｂから離れた位置とでその位置を保持可能に構成されている。このことにより、可動ストッパ１３６の係止凸部１３６ｃが障子側アーム１３３の端部１３３ｂを係止する状態を保持することで、障子２０が第一の開放位置または第二の開放位置にある状態を保持することができ、したがって、窓枠１０の開口部が所定の開放角度で開放された状態を保持することができる。
［他の実施形態］
以上、本発明の一実施形態について説明したが、本発明は上記実施形態に限定されるものではなく、以下のような様々な態様にて実施することが可能である。
【００５６】
（１）上記実施形態では、下框２２を中心として障子２０を室内側へ向けて回動可能な内倒し窓１０１に本発明を適用した例を挙げたが、これには限られず、下框２２を中心として障子２０を室外側へ向けて回動可能な外倒し窓に本発明を適用してもよい。
【００５７】
（２）上記実施形態では、内倒し窓１０１が、障子２０の開放角度を２段階に調整可能に構成されているが、これには限られず、内倒し窓１０１の障子２０の開放角度を３段階以上に調整可能に構成してもよい。一例を挙げると、上記実施形態では、窓枠側アーム１３１の端部１３１ｄには、その長手方向に直交する方向に沿って平行に形成された２つの長孔１３１ｅ，１３１ｆと、これら長孔１３１ｅ，１３１ｆを連結するよう窓枠側アーム１３１の長手方向に沿って形成された長孔１３１ｇとからなるコの字状の取付孔１３１ｈが形成されているが、これに対して、窓枠側アーム１３１の端部１３１ｄに、その長手方向に直交する方向に沿って平行に形成された３つ以上の長孔と、これら３つ以上の長孔を連結するよう窓枠側アーム１３１の長手方向に沿って形成された長孔とからなる取付孔を形成するといった具合である。
【図面の簡単な説明】
【００５８】
【図１】第一実施形態の内倒し窓を示す説明図である。
【図２】（ａ）は第一実施形態の内倒し窓ステーを示す説明図（１）であり、（ｂ）は第一実施形態の内倒し窓ステーを示す説明図（２）であり、（ｃ）は第一実施形態の内倒し窓ステーを示す説明図（３）であり、（ｄ）は第一実施形態の内倒し窓ステーを示す説明図（４）であり、（ｅ）は第一実施形態の内倒し窓ステーを示す説明図（５）である。
【図３】第二実施形態の内倒し窓を示す説明図である。
【図４】（ａ）は第二実施形態の内倒し窓ステーを示す説明図（１）であり、（ｂ）は第二実施形態の内倒し窓ステーを示す説明図（２）である。
【符号の説明】
【００５９】
１…内倒し窓、１０…窓枠、１２…下枠部材、１２ａ，２２ａ…蝶番、１５…ブラケット、２０…障子、２１…上框、２２…下框、２３…左框、２３ａ，２５…ブラケット、３０…倒し窓用ステー、３１…窓枠側アーム、３１ａ…窓枠側アームの端部、３１ｂ…窓枠側アームの端部付近、３１ｃ…貫通孔、３１ｄ…窓枠側アームの端部、３１ｅ…長孔、３１ｆ…突起部、３３…障子側アーム、３３ａ，３３ｂ…障子側アームの端部、３３ｃ…貫通孔、３３ｄ…突起部、３３ｅ…突起部、３５…留めピン、３６…可動ストッパ、３６ａ…案内溝、３６ｂ…溝、３６ｃ…係止凸部、３６ｄ…長孔、３７…付勢バネ、３７ａ…付勢バネの上端部、３７ｂ…付勢バネの下端部、１０１…内倒し窓、１３０…倒し窓用ステー、１３１…窓枠側アーム、１３１ａ…窓枠側アームの端部、１３１ｂ…窓枠側アームの端部付近、１３１ｃ…貫通孔、１３１ｄ…窓枠側アームの端部、１３１ｅ，１３１ｆ，１３１ｇ…長孔、１３１ｈ…取付孔、１３３…障子側アーム、１３３ａ…障子側アームの端部、１３３ｂ…障子側アームの端部付近、１３３ｃ…貫通孔、１３３ｄ，１３３ｅ…凹部、１３５…留めピン、１３６…可動ストッパ、１３６ａ…案内溝、１３６ｂ…突起部、１３６ｃ…係止凸部
【図１】
2008008092.tif 000003
【図２】
2008008092.tif 000004
【図３】
2008008092.tif 000005
【図４】
2008008092.tif 000006